(57)【要約】【課題】  自動車のフロントドアウィンドウガラスに自動車の盗難防止用標識の貼付又は刻印を施す際に、容易に貼付・刻印可能領域を特定することができるエリア表示器を提供すること。【解決手段】  第一の点１０１と、第一の点１０１から１２５ｍｍ離れた第二の点１０２と、第一の点１０１から１００ｍｍ離れた第三の点１０３と、を備え、第二の点１０２を自動車のフロントドアウィンドウガラスのガラス開口部の後縁に位置させ、第三の点１０３を自動車のフロントドアウィンドウガラスのガラス開口部の下縁に位置させ、第一の点１０１と第二の点１０２とが水平となるようにすることで、貼付・刻印可能領域を特定することができるようにしたエリア表示器１００を提供する。【選択図】    図１
2005145339.tif 000002
【特許請求の範囲】
【請求項１】
側縁及び下縁とを有する対象物に盗難防止用標識を貼付又は刻印するための貼付・刻印可能領域であって、前記対象物の一つの角部を含む貼付・刻印可能領域を指定するために用いるエリア表示器であって、
第一の点と、前記第一の点から第一の距離だけ離れた第二の点と、前記第一の点と前記第二の点とを結ぶ直線に対して垂直な方向において前記第一の点から第二の距離だけ離れた第三の点と、を頂点として有し、
前記第二の点を前記対象物の前記側縁に、前記第三の点を前記対象物の前記下縁にそれぞれ合わせ、前記第一の点と前記第二の点とを結ぶ線が水平になるように前記エリア表示器を前記対象物上に配置し、前記第一の点と前記第二の点と前記第三の点と前記側縁と前記下縁とで囲まれた領域を前記貼付・刻印可能領域として指定するエリア表示器。
【請求項２】
前記第一の点と前記第二の点とを結ぶ直線状の第一の辺と、
前記第一の点と前記第三の点とを結ぶ直線状の第二の辺と、
を備えるシート状部材からなることを特徴とする請求項１に記載のエリア表示器。
【請求項３】
前記シート状部材は三角形形状であることを特徴とする請求項２に記載のエリア表示器。
【請求項４】
前記第一の辺を有する第一の部材と前記第二の辺を有する第二の部材とがL字型に形成されていることを特徴とする請求項２に記載のエリア表示器。
【請求項５】
前記第一の部材と前記第二の部材とは、これら二つの部材の接続点を中心として、相互に回動自在に連結されていることを特徴とする請求項４に記載のエリア表示器。
【請求項６】
前記エリア表示器の表裏面のうち少なくとも何れか一方の面には、前記エリア表示器の使用時の向きを示す左右非対称の目印が表示されていることを特徴とする請求項１乃至５の何れか一項に記載のエリア表示器。
【請求項７】
前記目印は、前記エリア表示器を前記対象物の表裏面の一方の面上に当てたときに他方の面から前記目印を見ると、正しい向きになるものであることを特徴とする請求項６に記載のエリア表示器。
【請求項８】
前記対象物はガラスであることを特徴とする請求項１乃至７の何れか一項に記載のエリア表示器。
【請求項９】
前記対象物は自動車のフロントドアウィンドウガラス、リアドアウィンドウガラス、フロントシールドガラス又はリアシールドガラスであることを特徴とする請求項８に記載のエリア表示器。
【請求項１０】
側縁及び下縁とを有する対象物に盗難防止用標識を貼付又は刻印するための貼付・刻印可能領域であって、前記対象物の一つの角部を含む貼付・刻印可能領域内に盗難防止用標識を貼付又は刻印する方法において、
第一の点と、前記第一の点から第一の距離だけ離れた第二の点と、前記第一の点と前記第二の点とを結ぶ直線に対して垂直な方向において前記第一の点から第二の距離だけ離れた第三の点と、を、前記第二の点が前記対象物の前記側縁上に、前記第三の点が前記対象物の前記下縁上にそれぞれ位置し、かつ、前記第一の点と前記第二の点とを結ぶ線が水平となるように、前記対象物上に同時に指定する第一の過程と、
前記第一の点と前記第二の点と前記第三の点と前記側縁と前記下縁とで囲まれた領域を前記貼付・刻印可能領域とし、前記貼付・刻印可能領域内に前記盗難防止用標識を貼付又は刻印する第二の過程と、
を備える盗難防止用標識の貼付・刻印方法。
【請求項１１】
前記対象物は透明であり、
前記第一の過程は、前記第一の点と前記第二の点と前記第三の点とを頂点として有するエリア表示器を刻印する面とは反対側の面上に配置することにより実施されることを特徴とする請求項１０に記載の貼付・刻印方法。
【請求項１２】
前記対象物は、自動車の右側及び左側ドアウィンドウガラスであり、
前記第一の過程において、前記右側ドアウィンドウガラスに対して前記エリア表示器を用い、前記左側ドアウィンドウガラスに対して前記エリア表示器を裏返して用いることを特徴とする請求項１１に記載の貼付・刻印方法。
【発明の詳細な説明】
【技術分野】
【０００１】
本発明は、エリア表示器に関し、特に、自動車のウィンドウガラス（特に、フロントドアウィンドウガラス）に盗難防止用標識を貼付又は刻印する際に使用するエリア表示器に関する。
【背景技術】
【０００２】
自動車の盗難を防止するために、自動車のウィンドウガラスに、盗難防止装置が備えられていることを表示する告知標識を貼付したり、自動車の車体番号などの識別標識を刻印したりすることが行われている（例えば、特許文献１参照）。
【０００３】
例えば、自動車のウィンドウガラスへの識別標識の刻印は、自動車のウィンドウガラスの所定の位置に、識別番号を型抜いた型抜き板を設置し、この型抜き板に砂などの研磨剤を噴射してガラス面をエッチングすることにより行われている。
【０００４】
ここで、自動車のウィンドウガラスへの盗難防止用標識の貼付・刻印位置については、国土交通省で定める保安基準に適合していなければならず、特に、自動車のフロントドアウィンドウガラスに貼付又は刻印をする際には、「標識又は刻印の上縁の高さがその付近のガラス開口部の下縁から１００ｍｍ以下、かつ標識又は刻印の前縁がその付近のガラス開口部の後縁から１２５ｍｍ以内となるように貼付又は刻印されたもの」という基準に適合したものでなければならなかった。
【０００５】
このような基準をクリアするため、従来は、ガラス開口部の下縁から１００ｍｍ以下、かつ、ガラス開口部の後縁から１２５ｍｍ以内の領域を巻き尺等で計測し、この領域をマスキングテープなどで囲って目印とし、この領域に盗難防止用標識の貼付や刻印を行っていた。
【特許文献１】特開２００３−１３６４０７
【発明の開示】
【発明が解決しようとする課題】
【０００６】
しかしながら、盗難防止用標識の貼付や刻印を行う際に、ガラス開口部の下縁から１００ｍｍ以下、かつ、ガラス開口部の後縁から１２５ｍｍ以内の領域を巻き尺等で計測し、この領域をマスキングテープなどで囲って目印とするのでは、作業が複雑で大きな労力を払う必要があった。
【０００７】
また、ガラス開口部の下縁や後縁が傾斜している場合などでは、いずれの点から計測するのかが不明であり、盗難防止用標識の貼付や刻印を行うことができる領域を明確に特定することが困難であった。
【０００８】
そこで、本発明は、自動車のウィンドウガラス（特に、フロントドアウィンドウガラス）に自動車の盗難防止用標識を貼付又は刻印する際に、容易に貼付・刻印可能領域を特定することができるエリア表示器を提供することを目的とする。
【課題を解決するための手段】
【０００９】
以上の課題を解決するため、本発明は、側縁及び下縁とを有する対象物に盗難防止用標識を貼付又は刻印するための貼付・刻印可能領域であって、前記対象物の一つの角部を含む貼付・刻印可能領域を指定するために用いるエリア表示器であって、第一の点と、前記第一の点から第一の距離だけ離れた第二の点と、前記第一の点と前記第二の点とを結ぶ直線に対して垂直な方向において前記第一の点から第二の距離だけ離れた第三の点と、を頂点として有し、前記第二の点を前記対象物の前記側縁に、前記第三の点を前記対象物の前記下縁にそれぞれ合わせ、前記第一の点と前記第二の点とを結ぶ線が水平になるように前記エリア表示器を前記対象物上に配置し、前記第一の点と前記第二の点と前記第三の点と前記側縁と前記下縁とで囲まれた領域を前記貼付・刻印可能領域として指定するエリア表示器を提供する。
【００１０】
このように、第一の点と、この第一の点から第一の距離だけ離れた第二の点と、第一の点及び第二の点とを結ぶ直線に対して垂直方向において、第一の点から第二の距離だけ離れた第三の点と、を頂点として有することにより、第二の点を対象物の側縁に、第三の点を対象物の下縁にそれぞれ合わせて、第一の点と第二の点とを結ぶ線が水平となるようにすることで、容易に貼付・刻印可能領域を特定することができるほか、対象物の側縁や下縁が傾斜している場合や、対象物の角部が垂直に形成されていない場合であっても、容易に貼付・刻印可能領域を特定することができるようになる。
【００１１】
なお、第一の距離や第二の距離については、貼付・刻印可能領域に関する法規制等に合わせて適時選択することがかのうであり、例えば、自動車のフロントドアウィンドウガラスに貼付や刻印を行う場合には、第一の距離は１２５ｍｍ、第二の距離は１００ｍｍとなる。
【００１２】
ここで、エリア表示器の形状としては、上述の第一の点と第二の点と第三の点とを頂点として有するものであればどのようなものであっても良いが、例えば、第一の点及び第二の点を結ぶ直線状の第一の辺と、第一の点及び第二の点を結ぶ直線状の第二の辺と、を備えるシート状部材により形成することができ、このように第一の辺と第二の辺とを備えるようにした場合には、第一の点と第三の点とについても直線状に結んで、三角形形状に形成することができる。
【００１３】
また、第一の辺と第二の辺とを備えるようにする場合には、第一の辺を有する第一の部材と第二の辺を有する第二の部材とにより、L字型に形成することも可能である。
【００１４】
そして、エリア表示器を第一の部材と前記第二の部材とによりL字状に形成する場合には、これら二つの部材の接続点を中心として、相互に回動自在に連結することで、このエリア表示器をコンパクトにして収納等することができるようになる。
【００１５】
また、エリア表示器の表裏面のうち少なくとも何れか一方の面には、エリア表示器の使用時の向きを示す左右非対称の目印を表示することも可能である。
【００１６】
この目印は、エリア表示器を対象物の表裏面の一方の面上に当てたときに他方の面からこの目印を見ると、正しい向きになるものとすることが望ましい。
【００１７】
また、以上に記載した対象物はガラス、特に、自動車のフロントドアウィンドウガラス、リアドアウィンドウガラス、フロントシールドガラス又はリアシールドガラスとすることができる。
【００１８】
また、本発明は、側縁及び下縁とを有する対象物に盗難防止用標識を貼付又は刻印するための貼付・刻印可能領域であって、前記対象物の一つの角部を含む貼付・刻印可能領域内に盗難防止用標識を貼付又は刻印する方法において、第一の点と、前記第一の点から第一の距離だけ離れた第二の点と、前記第一の点と前記第二の点とを結ぶ直線に対して垂直な方向において前記第一の点から第二の距離だけ離れた第三の点と、を、前記第二の点が前記対象物の前記側縁上に、前記第三の点が前記対象物の前記下縁上にそれぞれ位置し、かつ、前記第一の点と前記第二の点とを結ぶ線が水平となるように、前記対象物上に同時に指定する第一の過程と、前記第一の点と前記第二の点と前記第三の点と前記側縁と前記下縁とで囲まれた領域を前記貼付・刻印可能領域とし、前記貼付・刻印可能領域内に前記盗難防止用標識を貼付又は刻印する第二の過程と、を備える盗難防止用標識の貼付・刻印方法を提供する。
【００１９】
このように、第一の点と、この第一の点から第一の距離だけ離れた第二の点と、第一の点及び第二の点とを結ぶ直線に対して垂直方向において、第一の点から第二の距離だけ離れた第三の点と、を頂点として有することにより、第二の点を対象物の側縁に、第三の点を対象物の下縁にそれぞれ合わせて、第一の点と第二の点とを結ぶ線が水平となるようにすることで、容易に貼付・刻印可能領域を特定することができるほか、対象物の側縁や下縁が傾斜している場合や、対象物の角部が垂直に形成されていない場合であっても、容易に貼付・刻印可能領域を特定することができるようになる。
【００２０】
ここで、対象物が透明の場合には、この第一の過程は、以上に記載した第一の点と第二の点と第三の点とを頂点として有するエリア表示器を刻印する面とは反対側の面上に配置することにより実施されるものであることが望ましい。
【００２１】
そして、このようなエリア表示器を使用して自動車の右側及び左側ドアウィンドウガラスに貼付や刻印を行う場合には、右側ドアウィンドウガラスに対してエリア表示器を用い、左側ドアウィンドウガラスに対して前記エリア表示器を裏返して用いることができる。
【発明の効果】
【００２２】
以上のように、本発明によれば、盗難防止用標識の貼付・刻印可能領域を三つの点により特定することができるため、貼付・刻印可能領域を容易に特定することができる。
【発明を実施するための最良の形態】
【００２３】
図１は、本発明の第一の実施形態に係るエリア表示器１００の正面図である。
【００２４】
本実施形態に係るエリア表示器１００は、右側のドアウィンドウガラスに使用されるものである。
【００２５】
エリア表示器１００は、透明又は半透明のポリ塩化ビニル（ＰＶＣ）からなるシート状部材を、第一の点１０１及び第二の点１０２を直線状に結ぶ第一の辺１０４と、第一の点１０１及び第三の点１０３を直線状に結ぶ第二の辺１０５と、第二の点１０２及び第三の点１０３を直線状に結ぶ第三の辺１０６と、により三角形に形成されている。
【００２６】
ここで、第一の点１０１と第二の点１０２とは１２５ｍｍ離れており、第一の点１０１と第三の点１０３とは１００ｍｍ離れており、第一の点１０１及び第二の点１０２を結ぶ第一の辺１０４と第一の点１０１及び第三の点１０３を結ぶ第二の辺１０５とは、直交するようにされている。
【００２７】
また、このエリア表示器１００には、第一の点１０１と第二の点１０２が水平方向に配置され、さらに、第一の点１０１よりも第二の点１０２が左側に位置し、かつ、第一の点１０１と第三の点１０３が垂直方向に配置され、さらに、第一の点１０１よりも第三の点１０３が下方に位置するようにした場合に表面となる第一の面１０７側から正しく読めるように、丸で囲んだＲの文字を印刷している。
【００２８】
これは、本実施形態に係るエリア表示器１００が、自動車の右側のフロントドアウィンドウガラスにエッチングを行う際に使用されるものであることを明らかにするためであり、本実施形態に係るエリア表示器１００は、透明又は半透明のポリ塩化ビニル（ＰＶＣ）により形成されているため、このエリア表示器１００を左側のフロントドアウィンドウガラスに使用する場合には、Ｒの文字が左右反対となるように使用することで、正しく使用することができるようになる。
【００２９】
以上のように構成されるエリア表示器１００は、図２に表されているように、自動車の内側から、第二の点１０２を自動車の右側のフロントドアウィンドウガラス１１０の後縁１１０ａに位置するようにし、かつ、第三の点１０３を自動車の右側のフロントドアウィンドウガラス１１０の下縁１１０ｂに位置し、かつ、第一の点１０１と第二の点１０２とが水平（第一の点１０１と第三の点１０３とが垂直）となるようにすることで、これらの第一の点１０１、第二の点１０２、第三の点１０３並びにフロントドアウィンドウガラス１１０の後縁１１０ａ及び下縁１１０ｂによって囲まれた領域（図２の斜線で示された領域）が、国土交通省が定める保安基準である「標識又は刻印の上縁の高さがその付近のガラス開口部の下縁から１００ｍｍ以下、かつ標識又は刻印の前縁がその付近のガラス開口部の後縁から１２５ｍｍ以内」という貼付・刻印可能領域を示すようになる。
【００３０】
このようにして示された貼付・刻印可能領域に、自動車の外側、すなわち、フロントドアウィンドウガラス１１０の外側からエッチング装置により車体番号等の識別標識を刻印したり、盗難防止装置が備えられていることを表示する告知標識を貼付したりすることで、自動車の盗難防止を図ることが可能となる。
【００３１】
以上に記載した実施形態においては、エリア表示器１００を、ポリ塩化ビニル（ＰＶＣ）により形成したが、これに限定されるわけではなく、第一の点１０１、第二の点１０２及び第三の点１０３を特定することができる領域で、他の素材、例えば、他の樹脂、紙、木、金属等により形成することも可能である。
【００３２】
もっとも、ＰＶＣその他の可撓性材料でエリア表示器１００を構成することにより、ウィンドウガラスにエリア表示器１００を密着させることができる。
【００３３】
さらに、本実施形態においては、エリア表示器１００を透明又は半透明としたが、不透明にすることも可能であり、この場合には、図１で表されているＲの文字を予め印刷しておく。
【００３４】
なお、本実施形態においては、エリア表示器１００を使用する方向を特定する目印として、Ｒの文字を使用したが、これに限定されるわけではなく、左右非対称の文字又は記号であればどのような文字又は記号を使用することもでき、例えば、「右」という文字を使用することも可能である。
【００３５】
図３は、本発明の第二の実施形態に係るエリア表示器２００の正面図である。
【００３６】
本実施形態に係るエリア表示器２００は、左側のドアウィンドウガラスに使用されるものである。
【００３７】
エリア表示器２００は、第一の実施形態と同様に、透明又は半透明のポリ塩化ビニル（ＰＶＣ）からなるシート状部材を、第一の点２０１及び第二の点２０２を直線状に結ぶ第一の辺２０４と、第一の点２０１及び第三の点２０３を直線状に結ぶ第二の辺２０５と、第二の点２０２及び第三の点２０３を直線状に結ぶ第三の辺２０６と、により三角形に形成されている。
【００３８】
ここで、第一の点２０１と第二の点２０２とは１２５ｍｍ離れており、第一の点２０１と第三の点２０３とは１００ｍｍ離れており、第一の点２０１及び第二の点２０２を結ぶ第一の辺２０４と第一の点２０１及び第三の点２０３を結ぶ第二の辺２０５とは、直交するようにされている。
【００３９】
一方、エリア表示器２００は、第一の実施形態に係るエリア表示器１００とは異なり、第一の点２０１と第二の点２０２が水平方向に配置され、さらに、第一の点２０１よりも第二の点２０２が右側に位置し、かつ、第一の点２０１と第三の点２０３が垂直方向に配置され、さらに、第一の点２０１よりも第三の点２０３が下方に位置するようにした場合に表面となる第二の面２０８側から正しく読めるように、丸で囲んだＬの文字を印刷している。
【００４０】
なお、本実施形態においては、エリア表示器１００を使用する方向を特定する目印として、Ｌの文字を使用したが、これに限定されるわけではなく、左右非対称の文字又は記号であればどのような文字又は記号を使用することもでき、例えば、「左」という文字を使用することも可能である。
【００４１】
図４は、本発明の第三の実施形態に係るエリア表示器３００の正面図である。
【００４２】
本実施形態に係るエリア表示器３００は、第一の点３０１及び第二の点３０２を結ぶ第一の辺３０４を有する四辺形に形成された第一の部材３１１と、第一の点３０１及び第三の点３０３を結ぶ第二の辺３０５を有する四辺形に形成された第二の部材３１２と、をこれらの部材の一端を重ね合わせることによりＬ字状に形成されており、これらの第一の部材３１１と第二の部材３１２とは、重ね合わせられたその接続部において軸部材３１３により回動自在に連結されている。
【００４３】
ここで、第一の点３０１と第二の点３０２とは、第一の実施形態と同様に、１２５ｍｍ離れており、また、第一の点３０１と第三の点３０３とも、第一の実施形態と同様に、１００ｍｍ離れている。
【００４４】
従って、本実施形態に係るエリア表示器３００についても、第二の点３０２を自動車の右側のフロントドアウィンドウガラス１１０（図２参照）の後縁１１０ａ（図２参照）に位置するようにし、かつ、第三の点３０３を自動車の右側のフロントドアウィンドウガラス１１０（図２参照）の下縁１１０ｂ（図２参照）に位置し、かつ、第一の点３０１と第二の点３０２とが水平となり、さらに、第一の点３０１と第三の点３０３とが垂直となるようにすることで、これらの第一の点３０１、第二の点３０２、第三の点３０３並びにフロントドアウィンドウガラス１１０（図２参照）の後縁１１０ａ（図２参照）及び下縁１１０ｂ（図２参照）によって囲まれる領域が、国土交通省が定める保安基準である「標識又は刻印の上縁の高さがその付近のガラス開口部の下縁から１００ｍｍ以下、かつ標識又は刻印の前縁がその付近のガラス開口部の後縁から１２５ｍｍ以内」という貼付・刻印可能領域を示すようになる。
【００４５】
もっとも、本実施形態においては、第一の部材３１１と第二の部材３１２とを軸部材３１３により回動自在にしているため、第一の部材３１１と第二の部材３１２とを回動させてこれらの部材が重なり合うようにすることで、エリア表示器３００をコンパクトに収納することができるようになる。
【００４６】
なお、本実施形態におけるエリア表示器３００には、第一の点３０１と第二の点３０２が水平方向に配置され、さらに、第一の点３０１よりも第二の点３０２が左側に位置し、かつ、第一の点３０１と第三の点３０３が垂直方向に配置され、さらに、第一の点３０１よりも第三の点３０３が下方に位置するようにした場合に表面に位置する第一の部材３１１の第一の面３０７側から正しく読めるように、右の文字を印刷し、また、図５に表されているように、第一の点３０１と第二の点３０２が水平方向に配置され、さらに、第一の点３０１よりも第二の点３０２が右側に位置し、かつ、第一の点３０１と第三の点３０３が垂直方向に配置され、さらに、第一の点３０１よりも第三の点３０３が下方に位置するようにした場合に表面に位置する第一の部材３１１の第二の面３０８（第一の面３０７の反対側の面）側から正しく読めるように、左の文字を印刷している。
【００４７】
従って、自動車の右側のフロントドアウィンドウガラスに貼付や刻印を行う際には、右の文字が見えるようにしてエリア表示器３００を使用し、自動車の左側のフロントドアウィンドウガラスに貼付や刻印を行う際には、左の文字が見えるようにしてエリア表示器３００を使用することで、貼付・刻印可能領域を正しく特定することができるようになる。
【００４８】
なお、第一の実施形態及び第二の実施形態に係るエリア表示器１００、２００では、右側及び左側のドアウィンドウガラス用に、二つのエリア表示器１００、２００が必要であるのに対して、第三の実施形態に係るエリア表示器３００では、一つのエリア表示器３００を表側と裏側の双方を用いることにより、一つのエリア表示器３００で右側と左側のドアウィンドウガラスに兼用することができる。
【００４９】
もっとも、第一の実施形態に係るエリア表示器１００においても、表裏両面にＲとＬの文字をそれぞれ印刷することにより、一つのエリア表示器１００で右側と左側のドアウィンドウガラスに兼用することができるようになる。
【００５０】
また、第一乃至第三の実施形態に係るエリア表示器１００、２００、３００は、フロントドアウィンドウガラスのみならず、他のウィンドウガラスに対しても使用することができる。
【００５１】
さらに、上述の実施形態における１００ｍｍ、１２５ｍｍの数値には限定されず、他の数値を選択することも可能である。
【００５２】
例えば、法律が改正され基準が異なった場合や基準の異なる外国で使用する場合等には、これらの基準にあった数値を適時選択することができる。
【図面の簡単な説明】
【００５３】
【図１】第一の実施形態に係るエリア表示器１００の正面図。
【図２】エリア表示器１００の使用例を表す正面図。
【図３】第二の実施形態に係るエリア表示器２００の正面図。
【図４】第三の実施形態に係るエリア表示器２００の表側の正面図。
【図５】第三の実施形態に係るエリア表示器２００の裏側の正面図。
【符号の説明】
【００５４】
１００、２００、３００  エリア表示器
１０１、２０１、３０１  第一の点
１０２、２０２、３０２  第二の点
１０３、２０３、３０３  第三の点
１０４、２０４、３０４  第一の辺
１０５、２０５、３０５  第二の辺
３１１  第一の部材
３１２  第二の部材
３１３  軸部材
【図１】
2005145339.tif 000003
【図２】
2005145339.tif 000004
【図３】
2005145339.tif 000005
【図４】
2005145339.tif 000006
【図５】
2005145339.tif 000007